(57)【特許請求の範囲】
【請求項１】
互いに隣り合う合成樹脂製の框材同士が接合されている框体を有する障子であって、
前記隣り合う框材のうちの一方をなす第一框材には、前記第一框材の長手方向と交差する交差方向に沿って配置され前記隣り合う框材のうちの他方をなす第二框材の端部を収容する端部収容部が設けられており、
前記第二框材は、前記端部が前記端部収容部に収容された状態で、前記第一框材の長手方向に沿って移動可能であり、前記交差方向への移動が規制されていることを特徴とする障子。
【請求項２】
請求項１に記載の障子であって、
前記第一框材の長手方向の寸法は、前記第二框材の長手方向の寸法よりも長いことを特徴とする障子。
【請求項３】
請求項１または請求項２に記載の障子であって、
当該障子は、開口を形成し内周側に突出する突部を有する枠体の内周側に配置されており、
前記第一框材は、小口を覆う小口部材を備え、
前記小口部材及び前記第二框材は、前記突部が収容される突部収容部を各々有し、
各々の前記突部収容部内には、前記突部に当接される気密材が前記交差方向に沿うとともに前記小口部材の前記気密材と前記第二框材の前記気密材とが連続して設けられており、
前記気密材における前記第一框材の長手方向に沿う方向の寸法は、前記第二框材が前記第一框材の長手方向に沿って移動する移動量よりも長いことを特徴とする障子。
【請求項４】
請求項３に記載の障子であって、
前記第二框材は、前記端部収容部に収容される前記端部に、前記第一框材の長手方向に沿って延出された延出部を有し、
前記小口部材は、前記延出部を前記第一框材の長手方向に移動可能に係合する係合部を有していることを特徴とする障子。
【請求項５】
請求項１乃至請求項４のいずれかに記載の障子であって、
前記第一框材は、長手方向に沿う中空部と、前記中空部内に設けられた金属製の補強部材と、を有する一対の縦框であり、
前記第二框材は、前記一対の縦框の上端側を連結する上框と前記一対の縦框の下端側を連結する下框であり、
前記下框は、金属製の連結金具を介して前記補強部材と連結されていることを特徴とする障子。
【請求項６】
請求項１乃至請求項５のいずれかに記載の障子を備えていることを特徴とする建具。
【発明の詳細な説明】
【技術分野】
【０００１】
本発明は、互いに隣り合う合成樹脂製の框材が接合された框体を有する障子及び建具に関する。
【背景技術】
【０００２】
互いに隣り合う合成樹脂製の框材の接合構造として、例えば、合成樹脂製の上框と縦框とが、Ｌ字状の連結ブロックにより連結されている縦、横框の連結装置が知られている（例えば、特許文献１参照）。この縦、横框の連結装置は、水平方向に突出する横框嵌合部と、垂直方向に突出する縦框嵌合部とを有する連結ブロックを用い、縦框嵌合部を縦框内に嵌合し、横框嵌合部を横框内に嵌合し、縦框嵌合部に貫通されたビス挿通孔を挿通したビスを横框に螺合することにより、縦框と上框とを連結している。
【先行技術文献】
【特許文献】
【０００３】
【特許文献１】実開昭６２−９６８６号公報
【発明の概要】
【発明が解決しようとする課題】
【０００４】
上記のような縦、横框の連結装置のように、縦框と上框とがビスにより連結されている場合には、熱等により合成樹脂製の縦框及び上框が伸縮する際には、ビスにより拘束されて伸縮し難い部位と、拘束されずに伸縮する部位とで伸縮量が相違するため、縦框及び上框に歪みが生じ、框が支持されている枠体と干渉する、或いは、枠体との間で気密が確保できない虞がある。
【０００５】
本発明は、かかる課題に鑑みてなされたものであり、その目的とするところは、熱などにより伸縮しても歪みが生じ難い合成樹脂製の框体を備えた障子及び建具を提供することにある。
【課題を解決するための手段】
【０００６】
かかる目的を達成するために本発明の障子は、互いに隣り合う合成樹脂製の框材同士が接合されている框体を有する障子であって、前記隣り合う框材のうちの一方をなす第一框材には、前記第一框材の長手方向と交差する交差方向に沿って配置され前記隣り合う框材のうちの他方をなす第二框材の端部を収容する端部収容部が設けられており、前記第二框材は、前記端部が前記端部収容部に収容された状態で、前記第一框材の長手方向に沿って移動可能であり、前記交差方向への移動が規制されていることを特徴とする障子である。
【０００７】
このような障子によれば、互いに隣り合う合成樹脂製の框材のうちの一方をなす第一框材に設けられた端部収容部に、互いに隣り合う框材のうちの他方をなす第二框材の端部が収容されて、第二框材は第一框材の長手方向に沿って移動可能に設けられているので、熱等により第一框材が伸縮したとしても、第一框材と第二框材とは相対動可能なので、第一框材及び第二框材に接合による歪みが生じることを防止することが可能である。また、第二框材は交差方向への移動が規制されているので、第一框材と第二框材とが接合されている状態を維持しつつも第一框材の伸縮を許容することが可能である。
【０００８】
かかる障子であって、前記第一框材の長手方向の寸法は、前記第二框材の長手方向の寸法よりも長いことが望ましい。
このような障子によれば、熱による伸縮は部材の長手方向の長さが長いほど変化が大きいので、長さが短い第二框材が、第二框材よりも長い第一框材に沿って移動可能に接合されていると、より大きな歪みの発生を抑えることが可能である。
【０００９】
かかる障子であって、当該障子は、開口を形成し内周側に突出する突部を有する枠体の内周側に配置されており、前記第一框材は、小口を覆う小口部材を備え、前記小口部材及び前記第二框材は、前記突部が収容される突部収容部を各々有し、各々の前記突部収容部内には、前記突部に当接される気密材が前記交差方向に沿うとともに前記小口部材の前記気密材と前記第二框材の前記気密材とが連続して設けられており、前記気密材における前記第一框材の長手方向に沿う方向の寸法は、前記第二框材が前記第一框材の長手方向に沿って移動する移動量よりも長いことが望ましい。
【００１０】
このような障子によれば、第一框材の小口を覆う小口部材と第二框材とに各々設けられ、突部収容部に収容された、枠体の突部に当接される気密材が交差方向に沿って連続しているので、高い気密性を備えることが可能である。また、この気密材は、第一框材の長手方向に沿う方向の寸法が、第二框材が第一框材の長手方向に沿って相対的に移動する移動量よりも長いので、たとえ、第一框材が伸縮したとしても、気密材が連続している状態が維持される。このため、第一框材の伸縮を許容しつつも高い気密性を維持することが可能な障子を提供することが可能である。
【００１１】
かかる障子あって、前記第二框材は、前記端部収容部に収容される前記端部に、前記第一框材の長手方向に沿って延出された延出部を有し、前記小口部材は、前記延出部を前記第一框材の長手方向に移動可能に係合する係合部を有していることが望ましい。
【００１２】
このような障子によれば、第二框材の延出部を、第一框材に設けられた小口部材の係合部に係合することにより、第二框材が第一框材の長手方向に沿って移動可能としつつ、第二框材の交差方向への移動を規制することが可能である。
【００１３】
かかる障子であって、前記第一框材は、長手方向に沿う中空部と、前記中空部内に設けられた金属製の補強部材と、を有する一対の縦框であり、前記第二框材は、前記一対の縦框の上端側を連結する上框と前記一対の縦框の下端側を連結する下框であり、前記下框は、金属製の連結金具を介して前記補強部材と連結されていることが望ましい。
【００１４】
このような障子によれば、縦框の伸縮により上框が縦框に対して相対的に移動するが、上框は、高い位置に位置して下框より視認しにくいので、縦框の伸縮によるずれを視認しにくい上框側に生じさせることが可能である。
【００１５】
また、上記障子を備えていることを特徴とする建具である。
このような建具によれば、第一框材と第二框材とが接合されている状態を維持しつつも第一框材の伸縮を許容することが可能な框体を備えた障子を有し、障子が変形し難く、また、周囲と干渉しにくい建具を提供することが可能である。
【発明の効果】
【００１６】
本発明によれば、熱などにより伸縮しても歪みが生じ難い合成樹脂製の框体を備えた障子及び建具を提供することが可能である。
【図面の簡単な説明】
【００１７】
【図１】本実施形態に係る建具の縦断面図である。
【図２】本実施形態に係る建具の横断面図である。
【図３】戸先框と上框との接合部の構成を示す斜視図である。
【図４】戸先框と下框との接合部の構成を示す斜視図である。
【図５】小口部材と連結部材とを示す斜視図である。
【図６】図６（ａ）は、小口部材と上框に設けられた気密材を示す図、図６（ｂ）は、戸先框が収縮した状態における小口部材と上框に設けられた気密材を示す図である。
【発明を実施するための形態】
【００１８】
以下、本発明の一実施形態に係る障子及び建具について図面を参照して説明する。
本実施形態では、図１、図２に示すように、開口を形成する合成樹脂製の枠体２と、枠体２の内周側に配置されて支持されている内障子３及び外障子４を備える引違い窓用の建具１を例に挙げて説明する。
【００１９】
以下の説明においては、建物等に取り付けられた建具１を室内側から見たときに、上下となる方向を上下方向、左右となる方向を左右方向、室内外方向である奥行き方向を見込み方向として示す。また、建具１の各部位であっても、また、建具１を構成する各部材については単体の状態であっても、建具１が取り付けられた状態で上下方向、左右方向、見込み方向となる方向にて方向を特定して説明する。
【００２０】
本実施形態の建具１は、上下の横枠２ａ、２ｂと左右の縦枠２ｃとが矩形状に接合されて開口を形成する枠体２が躯体に固定されている。枠体２には、内周側に全周に渡って突出する突部２ｄが設けられている。上下の横枠２ａ、２ｂに設けられている突部２ｄは、内障子３及び外障子４に設けられている上凹部３ａ、４ａ及び下凹部３ｂ、４ｂに挿入されて内障子３及び外障子４が案内されるレールをなしており、左右の縦枠２ｃに設けられた突部２ｄは、内障子２及び外障子３の戸先框３１、４１に設けられた戸先凹部３ｃ、４ｃに挿入されるように構成されている。ここで、上凹部３ａ、４ａ、下凹部３ｂ、４ｂ及び戸先凹部３ｃ、４ｃが突部収容部に相当する。
【００２１】
内障子３及び外障子４の上凹部３ａ、４ａ、下凹部３ｂ、４ｂ及び戸先凹部３ｃ、４ｃには、各々収容されている突部２ｄに当接され、繊維が起毛状に設けられた、所謂モヘアと呼ばれる気密材５が、見込み方向において互いに対向する方向にそれぞれ設けられ、内障子３及び外障子４を閉じたときに枠体２と、内障子３及び外障子４との間の気密性が保たれている。また、内障子３及び外障子４の召合せ部も外障子４の召合せ框４２に設けられている気密材５が内障子３の召合せ框３２に当接されて気密性が保たれている。
【００２２】
内障子３及び外障子４は、上框３３、４３及び下框３４、４４をなす一対の横框と、戸先框３１、４１及び召合せ框３２、４２をなす一対の縦框とが矩形状に接合されている框体３０、４０と、框体３０、４０の内周側に端部が収容されるとともに各框材３１，３２、３３、３４、４１、４２、４３、４４に接着されている複層ガラス６と、を有している。
【００２３】
上框３３、４３、下框３４、４４、戸先框３１、４１及び召合せ框３４、４４は、いずれも各々の長手方向を押出方向とする合成樹脂製の押出成形部材であり、本実施形態の内障子３及び外障子４は、戸先框３１、４１及び召合せ框３２、４２が上框３３、４３及び下框３４、４４より長く形成されている。本実施形態の建具１では、框体３０、４０を構成し互いに隣り合って接合されている框材のうちの第一框材に、戸先框３１、４１及び召合せ框３２、４２の縦框が相当し、第二框材に、上框３３、４３および下框３４、４４の横框が相当する。
【００２４】
内障子３及び外障子４の構成、特に、枠体２の突部２ｄが挿入される上框３３、４３、下框３４、４４及び戸先框３１、４１の構成は同じなので、ここでは、外障子４を例に挙げて説明し、内障子３における、外障子４と同一構成については、説明を省略する。
【００２５】
外障子４の框体４０をなす上框４３、下框４４、戸先框４１及び召合せ框４２にはそれぞれ、各々の長手方向に貫通する中空部４１ａ、４２ａ、４３ａ、４４ａと、中空部４１ａ、４２ａ、４３ａ、４４ａより内周側に設けられ、框体４０の内周側が開放されて外周側に窪み複層ガラス６の周端部が収容されるガラス収容部４１ｂ、４２ｂ、４３ｂ、４４ｂが設けられている。また、上框４３、下框４４及び戸先框４１には、中空部４１ａ、４３ａ、４４ａの外周側に設けられ、框体４０の外周側が開放されて内周側に窪み枠体２の突部２ｄが収容される、前述した上凹部４ａ、下凹部４ｂ、戸先凹部４ｃが設けられている。
【００２６】
図３、図４に示すように、戸先框４１の見込み方向の幅Ｗ１は、上框４３及び下框４４の見込み方向の幅Ｗ２より僅かに広く形成されており、戸先框４１のガラス収容部４１ｂの開放されている端部には、ガラス収容部４１ｂの奥側より広く、上框４３及び下框４４が入り込み上框４３及び下框４４の縁４３ｃ、４４ｃが当接される凹部４１ｄが設けられている。この凹部４１ｄに上框４３及び下框４４の端部が挿入される量Ｌは、温度等により上框４３及び下框４４が収縮する量より大きく形成されている。このため、上框４３及び下框４４が温度変化により収縮しても上框４３及び下框４４の縁が戸先框４１の外側に露出しない。また、図示していないが、召合せ框４２も戸先框４１と同様に形成されている。ここで、上框４３及び下框４４の端部が収容される戸先框４１及び召合せ框４２のガラス収容部４１ｂ、４２ｂが端部収容部に相当する。
【００２７】
以下、第一框材と第二框材との接合構造を、第一框材を外障子４の戸先框４１とし、第二框材を外障子４の上框４３及び下框４４とする例について説明するが、第一框材を召合せ框４２とした場合も同様である。
【００２８】
戸先框４１の中空部４１ａには、３つの平板部７ａ、７ｂ、７ｃが、断面がほぼコ字状をなすように繋がった金属製の補強部材７が設けられている。補強部材７は、コ字状をなす各平板部７ａ、７ｂ、７ｃが中空部４１ａを形成する室内側の壁部４１ｅ、室外側の壁部４１ｆ、及び、内周側の壁部４１ｇに各々沿うように配置されている。
【００２９】
戸先框４１の長手方向における両端部には、各小口を覆う小口部材８がそれぞれ設けられている。小口部材８は、小口を覆う本体部８１と、本体部８１から戸先框４１の長手方向における中央側に突出し中空部４１ａに挿入される戸先挿入部８２と、上框４３側及び下框４４側に設けられている後述する延出部９３が挿入される係合部としての延出部被挿入部８３と、を有している。
【００３０】
本体部８１は、図５、図６に示すように、内障子３及び外障子４が枠体２に装着された際に、枠体２の突部２ｄが挿入される突部収容部としての突部挿入凹部８１ａを有している。突部挿入凹部８１ａは、接合される上框４３及び下框４４の長手方向に沿う方向に溝状をなしており、上框４３及び下框４４の長手方向に沿う方向から見たときに、戸先框４１の端部側が開放されたＵ字状をなしている。Ｕ字状をなす開放側の端部には、見込み方向において互いに対向する方向に突出させるとともに上框４３及び４４の長手方向に沿ってモヘアと呼ばれる気密材５が設けられる気密材嵌合部８１ｂが設けられている。
【００３１】
戸先挿入部８２には、戸先框４１の中空部４１ａに挿入される部位に、戸先框４１の中空部４１ａを形成している内周側の壁部４１ｇに嵌合される嵌合片８２ａが設けられている。
【００３２】
延出部被挿入部８３は、小口部材８が戸先框４１に装着された状態で戸先框４１のガラス収容部４１ｂに位置し、本体部８１の突部挿入凹部８１ａの室内側及び室外側にそれぞれ設けられている。延出部被挿入部８３は、突部挿入凹部８１ａを形成する本体部８１から、戸先框４１の対向する部位側に突出し、戸先框４１の長手方向に沿うリブ８３ａを有しており、本体部８１とガラス収容部４１ｂの内面との間にリブ８３ａにより仕切られて上框４３及び下框４４側に設けられている延出部９３が挿入される空隙Ｓを形成している。本実施形態では、突部挿入凹部８１ａの室内側及び室外側にそれぞれ設けられた３つのリブ８３ａにより２つの空隙Ｓが形成されている。
【００３３】
上框４３の長手方向における両端部には、連結部材９が装着されている。連結部材９は、上框４３の中空部４３ａに挿入される横框挿入部９１と、横框挿入部９１が上框４３に挿入されたときに、上框４３の端部より外側に張り出す張出部９２と、張出部９２から上方に延出されて、本体部８１とガラス収容部４１ｂの内面との間に形成された空隙Ｓに挿入される延出部９３が設けられている。
【００３４】
横框挿入部９１には、上框４３の中空部４３ａに挿入される部位に、上框４３の中空部４３ａを形成する壁部４３ｄに嵌合される嵌合片９１ａが設けられている。
【００３５】
張出部９２は、戸先框４１と接合される際に上框４３の端部とともに戸先框４１のガラス収容部４１ｂに挿入される部位であり、張出部９２の見込み方向の幅は、戸先框４１においてガラス収容部４１ｂを形成する部位の見込み方向の間隔とほぼ一致している。
【００３６】
延出部９３は、張出部９２から上方に延出されており、見込み方向に間隔を空けて室内側と室外側とにそれぞれ２つずつ設けられている。室内側と室外側とに設けられた２つの延出部９３は、小口部材８の３つのリブ８３ａの間隔とほぼ同じ幅に形成されている。また、上框４３と戸先框４１とは、上框４３に装着された連結部材９の延出部９３が、戸先框４１と小口部材８とにより形成される空隙Ｓに挿入されて接合される。このため、上框４３は戸先框４１に固定されることなく、戸先框４１の長手方向に沿って移動可能に接合されている。
【００３７】
下框４４は、上框４３のような連結部材９が装着されることなく、金属製の板材がＬ字状に屈曲されている連結金具１０により、戸先框４１と接合されている。連結金具１０は、下框４４及び戸先框４１のガラス収容部４１ｂ、４４ｂ内に配置され、Ｌ字状をなす一方の板部１０ａが、戸先框４１のガラス収容部４１ａを形成する部位を介して補強部材７にビス止めされ、他方の板部１０ｂが下框４４のガラス収容部４４ｂを形成する部位にビス止めされて固定されている。
【００３８】
上框４３、下框４４、戸先框４１、及び、召合せ框４２が接合されて框体４０をなした状態では、図６（ａ）に示すように戸先框４１、及び、召合せ框４２に装着された小口部材８に設けられている気密材５と、上框４３及び下框４４に設けられている気密材５とが直線状に繋がっている。そして、内障子３及び外障子４が枠体２に装着されたときに気密材５が枠体の突部２ｄに当接される。
【００３９】
本実施形態の内障子３、外障子４及び内障子３、外障子４を備えた建具１によれば、互いに隣り合う合成樹脂製の框材のうちの一方をなす戸先框３１、４１及び召合せ框３２、４２の側部に設けられたガラス収容部３１ｂ、３２ｂ、４１ｂ、４２ｂに、上框３３、４３及び下框３４、４４の端部が収容されて、上框３３、４３及び下框３４、４４は戸先框３１、４１及び召合せ框３２、４２の長手方向となる上下方向に沿って相対的に移動可能に設けられているので、熱等により戸先框３１、４１及び召合せ框３２、４２が伸縮したとしても、戸先框３１、４１及び召合せ框３２、４２と上框３３、４３及び下框３４、４４とは相対的に移動して、戸先框３１、４１及び召合せ框３２、４２及び上框３３、４３及び下框３４、４４に接合による歪みが生じることを防止することが可能である。
【００４０】
また、上框３３、４３及び下框３４、４４は、戸先框３１、４１及び召合せ框３２、４２のガラス収容部３１ｂ、３２ｂ、４１ｂ、４２ｂから抜け出る方向となる左右方向への移動が規制されているので、戸先框３１、４１及び召合せ框３２、４２と上框３３、４３及び下框３４、４４とが接合されている状態を維持しつつも戸先框３１、４１及び召合せ框３２、４２の伸縮を許容することが可能である。
【００４１】
また、熱による伸縮は部材の長さが長いほど変化が大きいので、長さが短い上框３３、４３及び下框３４、４４が、上框３３、４３及び下框３４、４４より長い戸先框３１、４１及び召合せ框３２、４２に沿って移動可能に接合されていると、より大きな歪みの発生を抑えることが可能である。
【００４２】
また、戸先框３１、４１及び召合せ框３２、４２の小口を覆う小口部材８と上框３３、４３及び下框３４、４４とに各々設けられ、突部２ｄを収容する上凹部３ａ、４ａ、下凹部３ｂ、４ｂ及び戸先凹部３ｃ、４ｃに収容された、枠体２の突部２ｄに当接される気密材５が、上框３３、４３及び下框３４、４４の長手方向に沿って連続しているので、高い気密性を備えることが可能である。また、この気密材５は、上下方向の寸法Ｗ３が、上框３３、４３及び下框３４、４４が、熱等による伸縮にて上下方向に相対的に移動する移動量Ｘよりも長いので、たとえ、戸先框３１、４１及び召合せ框３２、４２が伸縮したとしても、気密材５が連続している状態が維持される。このため、戸先框３１、４１及び召合せ框３２、４２の伸縮を許容しつつも高い気密性を備えることが可能である。
【００４３】
また、上框３３、４３及び下框３４、４４側に設けられた連結部材９の延出部９３を、戸先框３１、４１及び召合せ框３２、４２に設けられた小口部材８の延出部被挿入部８３に係合することにより、上框３３、４３及び下框３４、４４が上下方向に移動可能としつつ、上框３３、４３及び下框３４、４４が戸先框３１、４１及び召合せ框３２、４２のガラス収容部３１ｂ、３２ｂ、４１ｂ、４２ｂから抜け出る方向への移動を規制することが可能である。
【００４４】
また、戸先框３１、４１及び召合せ框３２、４２の伸縮により上框４３が戸先框３１、４１及び召合せ框３２、４２に対して相対的に移動するが、上框４３は、高い位置に位置して下框４４より視認しにくいので、戸先框３１、４１及び召合せ框３２、４２の伸縮により生ずる縦框と横框とのずれを視認しにくい上框４３側にて生じさせることが可能である。
【００４５】
また、本実施形態の内障子３及び外障子４を備えている建具１によれば、上框３３、４３及び下框３４、４４と戸先框３１、４１及び召合せ框３２、４２とが接合されている状態を維持しつつも戸先框３１、４１及び召合せ框３２、４２の伸縮を許容することが可能な框体３０、４０を備えているので、内障子３及び外障子４の框体３０、４０が変形し難く、また、周囲に位置する枠体２等と干渉しにくい建具１を提供することが可能である。
【００４６】
また、上記実施形態においては、戸先框３１、４１及び召合せ框３２、４２の伸縮により上框４３が戸先框３１、４１及び召合せ框３２、４２に対して相対的に移動する例について説明したが、下框４４が戸先框３１、４１及び召合せ框３２、４２に対して相対的に移動しても構わない。
【００４７】
上記実施形態においては、延出部９３が上框３３、４３及び下框３４、４４とは別部材の連結部材９に備えられている例について説明したが、延出部は、框材に直接設けられていても構わない。
【００４８】
上記実施形態においては、各障子３、４が戸先框３１、４１及び召合せ框３２、４２の伸縮を許容することが可能な框体３０、４０を備えている例について説明したが、上框３３、４３及び下框３４、４４の伸縮を許容することが可能な框体３０、４０を備えていても構わない。
【００４９】
上記実施形態においては、内障子３及び外障子４を備える引違い窓用の建具１を例に挙げて説明したが、これに限らず、例えば、開き戸、すべり出し窓用の障子など、縦框と横框とが矩形状に接合される框体を備える障子及び建具であれば構わない。
【００５０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５１】
１  建具、２  枠体、２ｄ  突部、３  内障子、３ａ  上凹部、３ｂ  下凹部、
３ｃ  戸先凹部、４  外障子、４ａ  上凹部、４ｂ  下凹部、４ｃ  戸先凹部、
５  気密材、７  補強部材、８  小口部材、９  連結部材、１０  連結金具、
３０  框体、３１  戸先框、３１ａ  中空部、３１ｂ  ガラス収容部、３２  召合せ框、
３２ａ  中空部、３２ｂ  ガラス収容部、３３  上框、３３ａ  中空部、
３３ｂ  ガラス収容部、３４  下框、３４ａ  中空部、３４ｂ  ガラス収容部、
４０  框体、４１  戸先框、４１ａ  中空部、４１ｂ  ガラス収容部、
４２  召合せ框、４２ａ  中空部、４２ｂ  ガラス収容部、４３  上框、
４３ａ  中空部、４３ｂ  ガラス収容部、４４  下框、４４ａ  中空部、
４４ｂ  ガラス収容部、８３  延出部被挿入部、９３  延出部、
Ｗ３  気密材の上下方向の寸法、Ｘ  伸縮による移動量
【図１】
0006595407.tif 000002
【図２】
0006595407.tif 000003
【図３】
0006595407.tif 000004
【図４】
0006595407.tif 000005
【図５】
0006595407.tif 000006
【図６】
0006595407.tif 000007